【事件の表示】
　平成　８年特許願第　　３３７４号「電子回路カード装置及び接続状態の認識方法」拒絶査定不服審判事件〔平成　９年　７月２２日出願公開、特開平　９−１９０４０４〕について、次のとおり審決する。
【結　論】
　本件審判の請求は、成り立たない。
【理　由】
第１．手続の経緯
　
　本願は，平成８年１月１１日の出願であって，平成１７年４月２０日付けで拒絶の理由が通知され，同年６月２７日付けで手続補正がなされたが，同年１２月６日付けで拒絶査定され，平成１８年１月１２日に拒絶査定不服審判の請求がなされ，同年２月１３日付けで手続補正がなされ，これにより審査官による審査がされ，その審査の結果が同年９月２８日付けで特許庁長官に報告（以下，「前置報告」という。）され，当審において，平成２０年９月２４日付けで審尋がされ，同年１２月１日付けで回答書の提出がなされ，平成２１年５月１８日付けで拒絶の理由が通知され，同年７月２１日付けで手続補正がなされるとともに意見書の提出がなされたものである。
　
第２．本願発明
　
　本願の請求項１に係る発明（以下，「本願発明」という。）は，平成２１年７月２１日付けの手続補正による特許請求の範囲の請求項１に記載された事項により特定される，以下のとおりのものである。
　
「【請求項１】　コンピュータ本体に装着される電子回路カード装置において、
　接続される外部周辺機器の種類に応じた複数の検出端子と信号入力端子とを有する接続手段と、
　上記複数の検出端子に対して上記外部周辺機器が挿抜されたかに応じて、当該検出端子に対する外部周辺機器の接続状態を検出する検出手段と、
　上記検出手段により検出されたことに応じて、上記コンピュータ本体に割り込み要求信号を発生する割り込み要求信号発生手段と、
　上記検出手段により検出された上記外部周辺機器の接続状態を記憶することで、接続された外部周辺機器の種類を記憶する記憶手段とを有し、
　上記記憶手段は、上記割り込み要求信号を受信した上記コンピュータ本体からの読み出し要求に応じて接続された外部周辺機器の上記種類が読み出される
　電子回路カード装置。」
　
第３．引用発明
１．引用発明１について
　当審における拒絶の理由に引用された，特開平５−１１３８３７号公報（以下，「引用例１」という。）には，図面とともに以下の事項（１）ないし（３）が記載されている。
　
（１）「【要約】
【目的】電源投入後の初期化終了後に入力装置のケーブルコネクタが抜かれたり，あるいは付け替えられたりした場合に本体装置に対して入力装置の接続状態を正確に伝えることが可能な入力装置制御方式の提供を目的とする。
【構成】各入力装置別３，４，５，６にケーブルコネクタを用意し，そのレセプタクル１１１側に電源電位が印加された接点Ｃ１〜Ｃ５を備え，レセプタクル１１１にプラグ１１０が挿入された場合にそのプラグ１１０に接続されている入力装置３，４，５，６の種類に応じてレセプタクル１１１の接点Ｃ１〜Ｃ５のいずれかが短絡するように構成されている。そして，入力アダプタ２ではレセプタクル１１１の接点が短絡した場合及びそれが解除された場合にレセプタクル１１１に対してプラグ１１０が挿抜されたと判定する挿抜検出部２０と，接続検出部が各信号線の状態を調べる接続検出部１５とが備えられている。」
　
（２）「【００１２】
【発明が解決しようとする課題】このような構成の従来のシステムでは、電源投入後の初期化処理が終了した後に入力装置が多種類入力アダプタ２から外されたり、あるいは他のポートに付け替えられたりした場合にはそのことを本体装置側に伝えることが出来ない。従って、本体装置では多種類入力アダプタから既に外された入力装置が未だ接続されていると認識したり、あるいはあるポートに接続されていると本体装置が認識している入力装置とは異なる入力装置が接続されているままの状態で処理が行われたりするという問題が生じる。
【００１３】本発明はこのような事情に鑑みてなされたものであり、電源投入後等に行われる初期化処理終了後に入力装置が外されたり、あるいは付け替えられたりした場合にも、本体装置でそれを認識可能なコンピュータシステムの提供を目的とする。
【００１４】
【課題を解決するための手段】本発明のコンピュータシステムは，各入力装置別にケーブルコネクタを用意し，そのレセプタクル側に第１の電位（たとえば電源電位）が印加された接点を備え，レセプタクルにプラグが挿入された場合にそのプラグに接続されている入力装置の種類に応じてレセプタクルの接点のいずれかが第２の電位（たとえば設定値電位）に転じるように構成されている。そして，入力アダプタ側ではレセプタクルの接点が第２の電位に転じた場合及びそれが解除された場合にレセプタクルに対してプラグが挿抜されたと判定する挿抜検出部と，接続検出部が各接点の状態を調べる接続検出部とが備えられている。
【００１５】
【作用】本発明のコンピュータシステムでは，入力装置のケーブルコネクタのプラグが入力アダプタのレセプタクルに挿入されるとそのレセプタクルに備えられている接点のいずれかが第１の電位から第２の電位に転じ，逆にプラグが外されるとそのレセプタクルに備えられている接点のいずれかが第２の電位から第１の電位に転じる。ここのような信号レベルの転換により挿抜検出部ではプラグの挿抜を検出する。また，レセプタクルにプラグが挿入された場合には，接続検出部では各レセプタクルのいずれの接点がローレベルであるかによりどのような種類の入力装置が接続されているかを判別する。
【００１６】
【実施例】以下，本発明をその実施例を示す図面に基づいて詳述する。なお，以下の各図において前述の従来例の説明で参照した図１と同一の参照符号は同一又は相当部分を示している。
【００１７】図２は本発明に係るコンピュータシステムの構成例を示すブロック図である。
【００１８】図２において，参照符号１は本体装置であり，具体的にはコンピュータ本体あるいは表示端末である。また参照符号２は多種類入力アダプタであり，本実施例では入力装置としてのキーボード３，タッチパネル４，タブレット５，マウス６等が接続されている。
【００１９】本体装置１には，電源オン検出回路７，構成識別部８，構成テーブル９，入力制御部１０等が備えられている。また多種類入力アダプタ２には，ポートＡ１１，ポートＢ１２，ポートＣ１３，ポートＤ１４の各入力ポートと，挿抜検出部２０と，予め設定されているＩＤを出力する接続検出部１５及びＩＤ応答回路１６，１７，１８，１９等が備えられている。
【００２０】各ポートＡ１１，Ｂ１２，Ｃ１３，Ｄ１４にはそれぞれ上述のキーボード３，タッチパネル４，タブレット５，マウス６が接続されており，接続検出部１５はこれらの各入力装置のＩＤを本体装置１へ通知する機能を有している。
【００２１】図３は挿抜検出部２０の構成例を示す回路図であり，ここではポートＡ１１に関する部分の構成のみを示してあるが，他の各ポートＢ１２，Ｃ１３，Ｄ１４についても同様の構成を有している。
【００２２】ポートＡ１１にはレセプタクル１１１が取付けられており，このレセプタクル１１１には入力装置識別用の接点Ｃ１〜Ｃ６が備えられている。これらの接点Ｃ１〜Ｃ６の内のプルアップ抵抗を介して電源電位に接続されている接点Ｃ１〜Ｃ５は５入力のＡＮＤゲート２１の各入力に接続されている。このＡＮＤゲート２１の出力はＤ−フリップフロップ２２のＴ入力端子に直接入力されると共にＤ−フリップフロップ２３のＴ入力端子にインバータにて反転されて入力されている。両Ｄ−フリップフロップ２２，２３のＱ出力は２入力のＯＲゲート２４の両入力に与えられており，このＯＲゲート２４の出力は接続検出部１５への割込み信号ＩＮＴになっている。
【００２３】なお，レセプタクル１１１の接点Ｃ６は接地されている。
【００２４】また，参照符号１１０は入力装置側のケーブルのプラグ１１０を示しており，入力装置識別用のピンＰ１〜Ｐ６が備えられている。これらの各ピンＰ１〜Ｐ６は，プラグ１１０がポートＡ１１のレセプタクル１１１に挿入された場合に，レセプタクル１１１に設けられている接点Ｃ１〜Ｃ６とそれぞれ接触するようになっている。そして，それぞれの入力装置の種類，即ちキーボード３，タッチパネル４，タブレット５，マウス６等に応じてピンＰ６と他のピンＰ１〜Ｐ５のいずれかとが接続されている。従って，プラグ１１０がレセプタクル１１１に接続された場合には，レセプタクル１１１の接点Ｃ１〜Ｃ５の内のいずれかがプラグ１１０を介して接点Ｃ６と電気的に接続されて接地することになる。
【００２５】なお，レセプタクル１１１の各接点Ｃ１〜Ｃ５はデータバッファ２５に接続されており，このデータバッファ２５の出力が接続検出部１５に与えられて入力装置識別信号ＩＳ１となる。
【００２６】このような本発明のコンピュータシステムの動作は以下の如くである。　
【００２７】システムの電源が投入されると，本体装置１において電源オン検出回路７がそれを検出し，リセット信号を発生する。このリセット信号により本体装置１内の各部がリセットされて初期化動作が実行される。
【００２８】本体装置１の入力制御部１０は構成テーブル９に予め登録されている装置アドレスと接続検出部１５から与えられる各入力装置のＩＤとの対応情報に基づいてそれぞれの入力装置に対してポーリングその他の入力制御を実行する。
【００２９】構成テーブル９への入力装置のＩＤの登録は，電源投入時に初期化動作の一部として，構成識別部８が多種類入力アダプタ２から送られてくるコマンドＡＴＴＮＩＤに基づいて行う。
【００３０】多種類入力アダプタ２は本体装置１からリセット信号を与えられた場合には，各入力装置に対してリセット信号を与える。そして，接続検出部１５は各ポートＡ１１，Ｂ１２，Ｃ１３，Ｄ１４からの入力装置識別信号ＩＳ１，ＩＳ２，ＩＳ３，ＩＳ４を調べて入力装置が接続されているか否かをチェックし，接続されていれば各入力装置に対応するＩＤ応答回路１６，１７，１８，１９を起動させてコマンドＡＴＴＮＩＤを本体装置１へ送出することにより，各入力装置のＩＤを本体装置１に通知する。
【００３１】以上の動作は前述した従来のシステムと同様である。
【００３２】いまたとえば，電源投入後の初期化処理完了後に，ポートＡ１１に接続されていた入力装置が外されてそのプラグ１１０がポートＡ１１のレセプタクル１１１から抜かれたとする。このような場合，レセプタクル１１１の各接点Ｃ１〜Ｃ５はそれまでいずれかの接点がプラグ１１０の対応するピン及びピンＰ６を介して接点Ｃ６と短絡回路を構成してローレベルであったのが全てハイレベルになる。このため，ＡＮＤゲート２１の出力はローレベルからハイレベルに転じてＤ−フリップフロップ２２のＱ出力がハイレベルとなり，ＯＲゲート２４の出力がハイレベルになる。換言すれば，挿抜検出部２０から接続検出部１５へ与えられている割込み信号ＩＮＴがアクティブ（ハイレベル）になる。
【００３３】接続検出部１５では挿抜検出部２０から与えられている割込み信号ＩＮＴがアクティブになることにより，ポートＡ１１からの入力装置識別信号ＩＳ１を読込む。この場合，ポートＡ１１からの入力装置識別信号ＩＳ１はオールハイレベルになっているので，ポートＡ１１のレセプタクル１１１からプラグ１１０が抜かれたこと，即ちそれまでポートＡ１１に接続されていた入力装置であるキーボード３が外されたことを認識し，本体装置１へその旨を通知する。
【００３４】そしてこの後，ポートＡ１１のレセプタクル１１１に他の入力装置のプラグ１１０　が挿入接続された場合には，ＡＮＤゲート２１の出力がローレベルに転じてＤ−フリップフロップ２３のＱ出力がハイレベルになる。これにより，ＯＲゲート２４の出力が再度ハイレベルに転じるので，接続検出部１５から割込み信号ＩＮＴが発生する。接続検出部１５ではこの割込み信号ＩＮＴが与えられることにより各ポートＡ１１，Ｂ１２，Ｃ１３，Ｄ１４からの入力装置識別信号ＩＳ１，ＩＳ２，ＩＳ３，ＩＳ４を再度読込み，それぞれのポートＡ１１，Ｂ１２，Ｃ１３，Ｄ１４においてローレベルになっている接点を識別することにより入力装置の種類を認識し，本体装置１へコマンドＡＴＴＮＩＤを送出する。
【００３５】なお上記実施例では，入力装置が接続されるポートは４個であるがこれに限るものではない。また上記実施例ではレセプタクルの接点及びプラグのピンはそれぞれ６個であるがこれに限るものではない。
【００３６】
【発明の効果】以上に詳述したように本発明のコンピュータシステムによれば，入力装置のケーブルコネクタのプラグを入力アダプタのレセプタクルに挿入際及び外す際のいずれにおいても検知する挿抜検出部を備えているので，初期化完了後に入力装置を外したりあるいは付け替えたりした場合にも，どのような種類の入力装置が接続されているかという情報が正確に本体装置に与えられる。」
　
　なお，上記の【００３４】における「そしてこの後，ポートＡ１１のレセプタクル１１１に他の入力装置のプラグ１１０　が挿入接続された場合には，ＡＮＤゲート２１の出力がローレベルに転じてＤ−フリップフロップ２３のＱ出力がハイレベルになる。これにより，ＯＲゲート２４の出力が再度ハイレベルに転じるので，
接続検出部１５
挿抜検出部２０
　
（３）【図３】には，「ピン」と「通常信号線」を備えた「プラグ（１１０）」が記載されていると見てとれる。
　
　　したがって，前記引用例１には，以下の発明（以下，「引用発明１」という。）が記載されている。
　
　「複数種類の入力装置と，前記入力装置を接続することが可能な入力アダプタと，該入力アダプタを介して複数種類の前記入力装置に接続されるコンピュータ本体とを備えたコンピュータシステムにおいて，
　　前記入力アダプタには，ポートと，挿抜検出部と，あらかじめ設定されているＩＤを出力する接続検出部，及びＩＤ応答回路が備えられ，
　前記ポートには，レセプタクルが取り付けられており，
　該レセプクタルには，入力装置識別用の複数の接点が備えられ，
　入力装置側のケーブルのプラグには，入力装置識別用のピンと通常信号線が備えられており，
　プラグがポートに挿入された場合に，レセプタクルに設けられている接点と該プラグに備えられたピンとが接触し，入力装置の種類に応じて，複数の接点の内のいずれかが電気的に接続され，
　ポートのレセプタクルから入力装置のプラグが抜かれた場合には，挿抜検出部から，接続検出部へ与えられる割込み信号をハイレベルにし，割込み信号がハイレベルになったことにより，該接続検出部は，該ポートからの入力装置識別信号を読込み，該入力識別信号は該入力装置が外されたことをコンピュータ本体に通知し，
　ポートのレセプタクルに入力装置のプラグが挿入された場合には，前記挿抜検出部から，接続検出部へ与えられる割込み信号をハイレベルにし，割込み信号がハイレベルになったことにより，接続検出部は，ポートからの入力識別信号を読込み，ポートの接点を識別することにより入力装置の種類を認識し，コンピュータ本体に送出する，
入力アダプタ。」
　
２．引用発明２について
　当審において拒絶の理由に引用された，特開平７−３３４５６４号公報（以下，「引用例２」という。）には，図面とともに以下の事項（１）ないし（３）が記載されている。　
　
（１）「【００１６】３．受信側以外の別の装置がデータバスに接続されていると仮定する。しかし送信側は特定の装置にデータを送信しようとしており，他の装置にはデータを無視してほしいとする。この場合選択線（Ｓｅｌｅｃｔｉｏｎ　ｌｉｎｅ）を追加し，特定の装置をデータに注目させるよう指示することができる。
【００１７】４．上述の例３の場合と同様に，複数の装置がデータバスに接続されているとする。しかし上述の例とは対照的に，今度は装置が通信を開始しようとしているとする。装置はここでは送信側になる。しかし装置がそのようにできるとすると混乱が生じることになる。
【００１８】解決方法は割り込み線（Ｉｎｔｅｒｒｕｐｔ　ｌｉｎｅ）を追加することである。各々の装置は，データ送信前に割り込み線を使用して許可を求める。」
　
（２）「【００３４】
【実施例】［概要］本発明は装置を共通のバスに相互接続するためのデバイス・アダプターを動的に設定するための方法を含む。図４及び図５はこのような接続で得られた装置の図面である。ここから幾つかの特徴が明らかになっている。
【００３５】１．バス１２が図示してある。一般に，バスはマイクロコンピュータにおいてシステムバスである。装置１４はバスとは直接通信しない。その代わり，装置１４はデバイス・アダプター１６と通信する。本発明は所定の装置（Ｄｅｖｉｃｅ）１４とバス１２が相互に通信できるようにするデバイス・アダプター１６を作成するための方法ならびにその装置を提供する。設定自在なマクロは全てが同じ種類またはクラスに属する複数の装置を支持するまたは異なる種類の複数装置を支持するデバイス・アダプターを作成する柔軟性を有している。これ以外にも，また本発明の柔軟性のさらなる説明として，該マクロは各々の（同様なまたは異なる）相互接続装置のために独立したデバイス・アダプターを提供するように設定することができる。
【００３６】２．これらの装置１４は通常の周辺装置，例えばディスク駆動装置及び印刷装置など，コンピュータに通常接続されるかまたは内蔵される装置を含むことができる。さらに，これらの装置は以下のようなその他の装置を含むことができる：
−−ビデオ・アダプター
−−キーボードと指示装置
−−マルチメディア・アダプター
−−メモリー制御装置
−−メモリーとＩ／Ｏキャッシュ
−−通信インタフェース
−−その他のバスへのインタフェース」
　
（３）「【０１０１】［さらなる考察］
１．図５の破線の囲み１６内部に図示してあるデバイス・アダプターは図１０に図示したような拡張カード上に構成することができる。この拡張カードを図１１に図示したようにマイクロコンピュータ内部の拡張スロットへ挿入することができる。従来技術で周知のように，拡張スロットは実際にはコンピュータのシステムバスに接続するエッジコネクタである。拡張カードは図１０に示すように，接続しようとする各々の装置に１つづつの，複数のＣコネクタ３４を含む。図５のユーザ論理回路が拡張カード自体に位置している場合，拡張カードは各々の装置に対して異なるインタフェースを提供する。各々のインタフェースは図１０に示したＣコネクタの１つで表現されている。
【０１０２】これ以外では，図５のデバイス・アダプター１６は図１１に示したようにコンピュータのシステム基板上に装置することもできる。デバイス・アダプターはシステムバス（即ち図５のバス１２）に直接接続する。装置は例えばリボンケーブルなどの従来の相互接続技術を使用してシステム基板へ接続する。
【０１０３】図５の破線の囲み１６内部に図示したデバイス・アダプターは，接続する装置の個数が比較的少数に制限されている場合，単一の集積回路（ＩＣ）または複数チップモジュール（ＭＣＭ）に構成して，こうしたＩＣまたはＭＣＭの利用可能なＩ／Ｏピンが過剰とならないようにすることができる。このＩＣまたはＭＣＭは前述のように装置することができる（即ちシステム基板上または拡張基板上に装置する）。」
　
　したがって，前記引用例２には，以下の発明（以下，「引用発明２」という。）が記載されている。
　
「コンピュータ内部の拡張スロットに挿入され，
　前記コンピュータとデバイス間のデータ送受信を行うデバイスアダプタが構成された拡張カードであって，
　データの送信前に割込み線を使用し，前記データの送信の許可を求める，
拡張カード。」
　
第４．対比
　本願発明と引用発明１を対比する。
　
１．引用発明１の「入力装置」，ポートのレセプタクルの「接点」，「割込み信号」は，本願発明の「外部周辺機器」，「検出端子」，「割り込み要求信号」にそれぞれ相当しており，前記「検出端子」が複数であることは明白である。そして，引用発明１の「ポート」には「プラグ」が挿入されるのであるから，信号入力端子を備えていることも明白であるから，引用発明１の「ポート」は本願発明の「接続手段」に相当している。
　
２．引用発明１の「入力アダプタ」も本願発明の「電子回路カード装置」もともに，コンピュータ本体と外部周辺機器を接続する「接続装置」である点で一致している。
　
３．引用発明１の「挿抜検出部」は，「外部周辺機器」に相当する「入力装置」の挿抜を検出し，挿抜に応じて「割込み信号」を発生しているので，引用発明１の「挿抜検出部」は本願発明の「複数の検出端子に対して外部周辺機器が挿抜されたかに応じて、検出端子に対する外部周辺機器の接続状態を検出する検出手段と，上記検出手段により検出されたことに応じて、割り込み要求信号を発生する割り込み要求信号発生手段」であるといえる。
　
　したがって，本願発明と引用発明１は，以下の点で一致，相違する。
　
＜一致点＞
「コンピュータ本体に装着される接続装置において，
　接続される外部周辺機器の種類に応じた複数の検出端子と信号入力端子とを有する接続手段と，
　上記複数の検出端子に対して外部周辺機器が挿抜されたかに応じて、検出端子に対する外部周辺機器の接続状態を検出する検出手段と，上記検出手段により検出されたことに応じて、割り込み要求信号を発生する割り込み要求信号発生手段と，を備えた，　
　接続装置。」　
　
＜相違点１＞
　引用発明１も本願発明もともに，「割り込み要求信号」を発生する「割り込み要求発生手段」を備えている点において一致するが，該「割り込み要求信号」を，引用発明１では，「接続検出部」に対して発生させているのに対して，本願発明は，「コンピュータ本体」に対して発生させている点。
　
＜相違点２＞
　引用発明１は，本願発明のように「上記検出手段により検出された上記外部周辺機器の接続状態を記憶することで、接続された外部周辺機器の種類を記憶する記憶手段」を有していない点。
　
＜相違点３＞
　引用発明１は，接続検出部が，割込み信号を受信し，接続された入力装置の種類をコンピュータ本体に送出しているが，本願発明のように「上記記憶手段は、上記割り込み要求信号を受信した上記コンピュータ本体からの読み出し要求に応じて接続された外部周辺機器の上記種類が読み出される」構成を有していない点。
　
＜相違点４＞　
　引用発明１の「入力アダプタ」が，本願発明のような「電子回路カード装置」ではない点。
　
第５．当審の判断
１．＜相違点１＞ないし＜相違点３＞に対する検討
　
　コンピュータ本体と周辺機器とのデータ送受信を行う際に，バッファメモリのような「記憶手段」を採用し，データを記憶手段に記憶し，コンピュータがバッファメモリの内容を読み込むようにデータの通信を行うことは，一般的なコンピュータにおけるデータ通信技術として周知（例えば，特開平６−１５２６５６号公報（以下，「周知例１」という。）：【００１７】，【００１８】，【図１】参照。）であり（以下，「周知技術１」という。），さらに，引用例１（段落【００３２】，【００３３】参照。），引用例２（段落【００１６】ないし【００１８】参照。），特開昭６２−２２４８１９号公報（以下，「周知例２」という。）（公報第２ページ右上欄第１８行から同ページ左下欄第６行：「［作用］・・・装置の初期化を行う。」，同ページ右下欄第３行から第３ページ第９行：「第１図において・・・してもよい。」参照。）の記載からも明らかなように，データ送信を行う前に，データ受信側に対して，データ送信側から割り込み要求信号を発生させ，許可を得た後にデータを送信することも，一般的な通信技術として周知である（以下，「周知技術２」という。）。
　そして，引用発明１の「接続検出部」は，「挿抜検出部」から入力装置の挿抜による割込み信号に応じて，入力識別信号を読込み，入力装置の種類を認識し，接続された入力装置の種類を，コンピュータ本体に発生するものであり，これに対し，周知技術１を適用することにより，コンピュータ本体と挿抜検出部の間を記憶手段を介して通信するように該記憶手段を接続検出部に設け，その際，記憶手段には入力装置の接続状態を記憶することで，入力装置の種類を記憶させるようにし，コンピュータ本体からの読み出しには，周知技術２を採用し，「割込み信号」をデータ受信側であるコンピュータ本体に発生し，コンピュータ本体からの読み出し要求に応じて，接続検出部から入力装置の種類が読み出されるようにすることは，当業者が容易に想到し得たものである。
　
　以上から，引用発明１に，周知技術１及び周知技術２を適用して，相違点１ないし３のような「上記検出手段により検出されたことに応じて、上記コンピュータ本体に割り込み要求信号を発生する割り込み要求信号発生手段と、
　上記検出手段により検出された上記外部周辺機器の接続状態を記憶することで、接続された外部周辺機器の種類を記憶する記憶手段とを有し、
　上記記憶手段は、上記割り込み要求信号を受信した上記コンピュータ本体からの読み出し要求に応じて接続された外部周辺機器の上記種類が読み出される」構成とすることは，当業者が容易に想到し得たものと認められる。
　
２．＜相違点４＞に対する検討
　
　引用発明２の「デバイス」は，本願発明の「外部周辺機器」に相当し，引用発明１の「入力アダプタ」も引用発明２の「拡張カード」もともに，コンピュータ本体に装着される接続装置といえ，また，接続される外部周辺機器を接続する接続手段とを備えた接続装置である点で一致している。そして，引用発明２は，接続装置を更に，カードとして，構成したものであるから，引用発明１に引用発明２を適用して，相違点４のような「電子回路カード装置」の構成とすることに，格別な技術的困難があったとは認められず，当業者が容易に想到し得たものであると認められる。
　
　
　そして，本願発明の構成によって奏される効果も，引用発明１，引用発明２，周知技術１，及び周知技術２からみて，格別なものでもない。
　
　したがって，本願発明は，引用発明１，引用発明２，周知技術１，及び周知技術２に基づいて，当業者が容易に発明することができたと認められる。
　
　
　なお，請求人は，平成２１年７月２１日付けの意見書において「引用文献１には、入力装置のプラグが入力アダプタのポートに挿入された場合に、接続検出部がポートからの入力識別信号を読込み、ポートの接点を識別することにより入力装置の種類を認識し、ポートのレセプタクルから入力装置のプラグが抜かれた場合には、入力装置が外されたことをコンピュータ本体に通知するような技術が記載されていますが、この引用文献１には、本願発明のように、検出された外部周辺機器の接続状態を記憶することで接続された外部周辺機器の種類を記憶する記憶手段も、コンピュータ本体からの読み出し要求に応じて記憶手段から接続された外部周辺機器の種類を読み出す構成についても、一切記載されていません。
　また、上記引用文献２にも、本願発明の上述したような構成について、何らの記載もされていません。
　ここで、本願発明は、検出手段により検出された外部周辺機器の接続状態と種類を記憶手段に記憶し、コンピュータ本体からの読み出し要求に応じて、記憶手段から接続された外部周辺機器の種類を読み出す構成を有しています。これは、本願明細書の段落〔００１７〕に記載した内容に基づくものです。すなわち、ＩＲＥＱ（インタラプトリクエスト：割り込み要求）発生回路は、外部周辺機器のコネクタプラグが挿入されて接続状態となったとき、及びコネクタプラグが抜かれて非接続状態となったときにＩＲＥＱ信号を発生し、パーソナルコンピュータ本体の制御回路部に送っています。ＩＲＥＱレジスタは、検出回路３２Ａ、３２Ｂ、３２Ｃのいずれから検出出力が得られたかを記憶することによって、どの種類の外部周辺機器が接続されたかを記憶します。このＩＲＥＱレジスタの記憶内容は、パーソナルコンピュータ本体の制御回路部により読み出され、この読み出しがなされたときにＩＲＥＱレジスタの記憶内容がリセットされるような制御が行われます。　しかしながら、上記引用文献１に記載された技術によっては、該引用文献１の段落〔００３４〕に記載されているように、割り込み信号ＩＮＴが与えられることにより各ポートＡ１１、Ｂ１２、Ｃ１３，Ｄ１４からの入力装置識別信号ＩＳ１，ＩＳ２，ＩＳ３、ＩＳ４を再度読み込み、それぞれのポートＡ１１、Ｂ１２、Ｃ１３，Ｄ１４においてローレベルになっている接点を識別することにより入力装置の種類を認識する必要があります。
　上記拒絶理由通知書において、上記引用文献１に記載された「挿抜検出部」及び「接続検出部」からなる構成は、本願発明の「検出手段」に相当する、との旨を指摘されていますが、上記引用文献１に記載の接続検出部の場合には、該引用文献１の段落〔００２８〕に記載されているように、本体装置の入力制御部が構成テーブルに予め登録されている装置アドレスと接続検出部から与えられる各入力装置のＩＤとの対応情報に基づいてそれぞれの入力装置に対してポーリングその他の入力制御を実行しています。
　これに対して本願発明では、検出端子に対して上記外部周辺機器が挿抜されたかに応じて外部周辺機器の接続状態を検出し、外部周辺機器の接続状態を記憶することで外部周辺機器の種類を記憶する構成を有しています。この構成によれば、上記引用文献１に記載されたように、初期化動作時にそれぞれの入力装置に対してポーリングその他の入力制御を実行することなく、外部周辺機器の接続状態、種類を判別することが可能です。
　従いまして本願発明は、上記引用文献１、２には何ら開示も示唆もされていない構成を有し、上記引用文献１、２に記載された技術からは予測し得ない顕著な効果を奏するものであり、上記引用文献引用文献１、２にそれぞれ記載された技術、あるいはこれらを組み合わせた技術に基いて当業者が容易に発明できるものではありません。」と主張している。その概略は，以下のとおりである。
　
＜主張１＞
「検出された外部周辺機器の接続状態を記憶することで接続された外部周辺機器の種類を記憶する記憶手段も、コンピュータ本体からの読み出し要求に応じて記憶手段から接続された外部周辺機器の種類を読み出す構成」について，上記引用例１，２には記載がない。
　
＜主張２＞
「検出端子に対して上記外部周辺機器が挿抜されたかに応じて外部周辺機器の接続状態を検出し、外部周辺機器の接続状態を記憶することで外部周辺機器の種類を記憶する構成」について，上記引用例１，２には記載がない。
　
＜主張３＞
「この構成によれば、上記引用文献１に記載されたように、初期化動作時にそれぞれの入力装置に対してポーリングその他の入力制御を実行することなく、外部周辺機器の接続状態、種類を判別することが可能です。」
　
　そこで，上記主張について検討する。
　上記＜主張１＞，＜主張２＞については，上記「１．＜相違点１＞ないし＜相違点３＞に対する検討」に記載したとおりであり，請求人の主張１，２は採用できない。
　
　上記＜主張３＞については，上記「１．＜相違点１＞ないし＜相違点３＞に対する検討」及び「２．＜相違点４＞に対する検討」記載のとおり，本願発明が，引用発明１，引用発明２，周知技術１，及び周知技術２に基づいて，当業者が容易に発明することができたものであるのだから，その発明が奏する効果として，初期化動作時にそれぞれの入力装置に対してポーリングその他の入力制御を実行することなく、外部周辺機器の接続状態、種類を判別することが可能となることは，当業者に自明である。よって，請求人の主張３は採用できない。
　
　そして，平成２１年７月２１日付けの意見書の記載を総合してみても，平成２１年５月１８日付けの拒絶の理由を覆すに足りる根拠を見いだせない。
　
第６．むすび
　
  以上のとおりであるから，本願発明は，引用発明１，引用発明２，周知技術１，及び周知技術２に基づいて，当業者が容易に発明することができたものであるから，特許法第２９条第２項の規定により，特許を受けることができない。
　
　したがって，本願は，請求項２に係る発明について論及するまでもなく，拒絶すべきものである。
　
　よって，結論のとおり，審決する。